(57)【特許請求の範囲】
【請求項１】
床スラブ１と壁面９とによってトイレ室が構成され、床スラブ１は下段部３と上段部２からなっており、この上段部２に和式便器４が取り付けられている水洗トイレ室の和式便器４を洋式便器２６へ取り替える改修工事において、上段部２の裏面側に形成されている凹み６にその下方側から当て板１１を当てて、これを閉塞した後、床スラブ１の上段部２をハツリ作業によって撤去し、ハツリ作業によって形成された開口部１２内の、床スラブ１の下段部端面１３と対向する壁面１０との間に、水平に補強用鉄筋１４、１４を打ち込み、両者を結束して補強部材とすると共に、撤去跡の開口部１２の周縁及びこれと対向する壁体９の壁面１０の適当位置に、前記開口部１２の中央方向へ向かって水平に張り出した張り出し片１６を有する脚ボルト受けアングル部材１７を、その張り出し片１６が床スラブ１の下段部３の上面とほぼ同一の高さになる様に複数個固定し、更に、床スラブ１の上段部２の撤去跡の開口部１２に、ハツリ作業によって生じたハツリガラ１５を投入した後、コンクリ−ト１８をその上面が床スラブ１の下段部３の上面とほぼ同じ高さになる様に打設し、その後、コンクリート１８の乾燥固化を待つことなく、板状をなし下面には複数の伸縮自在の脚ボルト２３を有するユニットトイレパン２２を、その脚ボルト２３を脚ボルト受けアングル部材１７の張り出し片１６上及び床スラブ１の下段部２の上面の所定位置に載置させることにより、床スラブ１の下段部２及びコンクリ−ト打設面１９上に敷き込み、このユニットトイレパン２２上に洋式便器２６を載置固定する様にしたことを特徴とする水洗トイレの改修工法。
【発明の詳細な説明】
【０００１】
【発明の属する技術分野】
この発明はコンクリ−ト建築物における水洗トイレ室の改修工法、詳しくは、床面を構成している床スラブに段差が設けられている和式便器使用の水洗トイレ室を、短時間で洋式便器使用の水洗トイレ室に改修できる水洗トイレ室改修工法に関するものである。
【０００２】
【従来の技術】
近年、和式トイレより洋式トイレが好まれる傾向が強く、既設の集合住宅等のコンクリ−ト製建築物の和式トイレ室を洋式トイレ室に改修する工事も多く行われている。大小便兼用の和式トイレの場合、トイレ室床面には段差が設けられているのが普通であり、洋式便器を設置する為には、この床面の段差を取り除いて床面を面一（つらいち）にすることが必要となる。
【０００３】
コンクリ−ト製建築物の場合、床面は床スラブによって構成されているので、床面の段差をなくすには、この床スラブの一部を除去しなければならないが、この床スラブを除去した跡には、階上と階下を貫く大きな開口部が形成されてしまう為、防火上、防音上、漏水防止上などの見地からもこの開口部を何らかの手段によって閉塞しなければならなくなる。
【０００４】
【発明が解決しようとする課題】
この床スラブの一部を除去した跡に形成される開口部の閉塞は、床スラブと同じ厚さになる様に、コンクリ−トを打設することによって行うのが普通であるが、コンクリ−トを打設した場合には、養生に時間がかかり、コンクリ−トが完全に乾くまでは次の工程に移れぬ為、この開口部の閉塞処理がトイレ室改修工事全体のスピ−ディな進行の阻げとなっていた。トイレ室改修工事は、コスト面から考えても１日で完了させられることが理想であるが、従来の工法のままでは、開口部の閉塞作業に時間がかかる為、一日での完成は到底不可能であった、
【０００５】
この為、工事日数を減らすことのできる工法がいくつか提案されており、特開平１１−２７０１６５号もその一つである。この特開平１１−２７０１６５として提案された工法は、所謂乾式工法の一種であり、床スラブを撤去した跡にできた開口部をコンクリ−トの打設によって埋めるのではなく、耐火カバ−なる部材によって閉塞する様にしたものであり、工事時間の大幅な短縮を狙ったものである。
【０００６】
しかしながら、この耐火カバ−によって開口部を閉塞するだけでは、消防法に規定する防火基準を満足させることはできない為、現実には合法的に施工することは不可能であった。コンクリ−ト建築物においては、上の階と下の階とを区画する床スラブには、防火区画としての機能が持たされており、２時間耐火の能力を有することが必要とされているが、この特開平１１−２７０１６５号において提案されている耐火カバ−では、いかにその材質に工夫をこらしたとしても、この２時間耐火の能力は持ち得なかった。従って、防火上の見地からはこの特開平１１−２７０１６５号に提案されている工法の採用は不可能と言わざるを得ない。
【０００７】
本発明者は和式トイレ室の洋式トイレ室への改修工事に関する上記問題点を解決せんとして種々研究を行った結果、現行の消防法の規定を十分に満足させながら、わずか一日で完成させることができる水洗トイレ室の改修工法を開発することに成功し、本発明としてここに提案するものである。
【０００８】
【課題を解決するための手段】
床スラブ１と壁面９とによってトイレ室が構成され、床スラブ１は下段部３と上段部２からなっており、この上段部２に和式便器４が取り付けられている水洗トイレ室の和式便器４を洋式便器２６へ取り替える改修工事において、上段部２の裏面側に形成されている凹み６にその下方側から当て板１１を当てて、これを閉塞した後、床スラブ１の上段部２をハツリ作業によって撤去し、ハツリ作業によって形成された開口部１２内の、床スラブ１の下段部端面１３と対向する壁面１０との間に、水平に補強用鉄筋１４、１４を打ち込み、両者を結束して補強部材とすると共に、撤去跡の開口部１２の周縁及びこれと対向する壁体９の壁面１０の適当位置に、前記開口部１２の中央方向へ向かって水平に張り出した張り出し片１６を有する脚ボルト受けアングル部材１７を、その張り出し片１６が床スラブ１の下段部３の上面とほぼ同一の高さになる様に複数個固定し、更に、床スラブ１の上段部２の撤去跡の開口部１２に、ハツリ作業によって生じたハツリガラ１５を投入した後、コンクリ−ト１８をその上面が床スラブ１の下段部３の上面とほぼ同じ高さになる様に打設し、その後、コンクリート１８の乾燥固化を待つことなく、板状をなし下面には複数の伸縮自在の脚ボルト２３を有するユニットトイレパン２２を、その脚ボルト２３を脚ボルト受けアングル部材１７の張り出し片１６上及び床スラブ１の下段部２の上面の所定位置に載置させることにより、床スラブ１の下段部２及びコンクリ−ト打設面１９上に敷き込み、このユニットトイレパン２２上に洋式便器２６を載置固定することにより上記課題を解決せんとするものである。
【０００９】
【発明の実施の形態】
図面を参照しながら、本発明に係る水洗トイレ室改修工法の一実施形態を説明する。
【００１０】
図１は改修前の和式トイレ室であり、床面を構成する床スラブ１には段差が設けられ、上段部２と下段部３とが形成されており、上段部２には和式便器４が設置されている。
【００１１】
この発明に係る水洗トイレ室の改修工法においては、まずはじめに、和式便器４及びこれに付属している汚水管５などの付帯部品を撤去する。その後、図２に示す様に、床スラブ１の上段部２の裏側に形成されている四角形の凹み６を囲う様に、床スラブ１の下段部３の裏側から断面Ｌ字形をなしたアングル材７をその水平張り出し片８がそれぞれ内側を向く様に固定し、その後、図３に示す様に鉄板などからなる当て板１１をこのアングル材７と床スラブ１の下段部３裏面との間の隙間に差し込み、凹み６を裏側から閉塞する。
【００１２】
なお、この実施の形態においては、アングル材７を用いて当て板１１を差し込むことにより凹み６を閉塞しているが、床スラブ１の下段部３に直接、当て板１１をアンカ−ボルト等に固定しても良い。
【００１３】
その後、当て板１１と床スラブ１との間に防水パッキングの貼付などによる防水処理を行った後、図４に示す様に床スラブ１の上段部２をハツリ作業によって撤去すると共に、このハツリ作業によって形成された開口部１２内の床スラブ１の下段部端面１３と対向する壁面１０との間に、水平に補強用鉄筋１４、１４を打ち込み、両者を結束して補強部材とする。
【００１４】
次に、図５に示す様に、上段部２のハツリ作業によって生じたハツリガラ１５を開口部１２内に投入すると共に、余ったハツリガラ１５を搬出する。更に、図６に示す様に、前記開口部１２の周縁及びこれと対向する壁体９の壁面１０に、水平方向に張り出した張り出し片１６を有する脚ボルト受けアングル部材１７を、その張り出し片１６が床スラブ１の下段部３の上面とほぼ同じ高さになる様に、複数個固定すると共に、ハツリガラ１５を投入した開口部１２内にコンクリ−ト１８を打設し、打設コンクリ−ト面１９が床スラブ１の下段部３の上面とほぼ面一（つらいち）になる様にする。又、必要に応じて壁体９に換気開口部２０や汚水管取出開口部２１を明ける。なお、図中２７は穿孔用電気ドリルである。
【００１５】
その後、コンクリート１８の乾燥固化を待つことなく、図７に示す様に、床スラブ１の下段部３上面及び脚ボルト受けアングル部材１７の所定位置に、ユニットトイレパン２２の脚ボルト２３をそれぞれ載置せしめ、ユニットトイレパン２２を打設コンクリ−ト面１９及び床スラブ１の下段部３の上面に、これらとは一定の間隔を保って水平に敷き込む。ユニットトイレパン２２は井桁上に組まれた枠体２４の上に、方形板状をしたトイレパン本体２５を重ね合わせたものであり、枠体２４の四隅及び中間部からは、下方に向って伸縮可能な脚ボルト２３がそれぞれ突設されている。
【００１６】
なお、このユニットトイレパン２２の脚ボルト２３は伸縮可能なので、床スラブ１の下段部３の上面と脚ボルト受けアングル部材１７の張り出し片１６の上面との間に多少の高さの不一致があっても、この脚ボルト２３の突出量を調整することにより、正確に水平を保って敷き込むことが出来る。このユニットトイレパン２２を敷き込んだ後は、図８に示す様に洋式便器２６をその上に固定すると共に、必要な配管工事や電気工事あるいは仕上工事を行い、トイレ室改修工事を完成させる。
【００１７】
この発明に係る水洗トイレ室改修工法は上述の通りの手順によって施工されるものであり、ユニットトイレパン２２はコンクリ−ト打設箇所上面に直接載置されるのではなく、床スラブ１の下段部３上面及び脚ボルト受けアングル部材１７に支持され、浮いた状態で敷き込まれるので、打設されたコンクリ−トの乾燥固化とは全く関係なく敷き込むことが出来る。又、このコンクリ−ト打設箇所はコンクリ−トが乾燥固化した後は、床スラブ１の下段部３と一体化するので、耐熱性は床スラブと同等となり、十分な耐火性能を保持することになる。更に、床スラブ１の上段部２の撤去跡の開口部１２にはハツリ作業によって生じたハツリガラ１５を投入再利用するので、打設に用いるコンクリートの量は少なくてすみ、乾燥固化に要する時間も短く、廃材の発生量も少ない。
【００１８】
【発明の効果】
以上述べた通り、この発明に係る水洗トイレ室改修工法を用いた場合、コンクリ−トの乾燥固化を待つ必要がなく、工事を進めることができ、わずか一日以内で工事を完成させることも可能である。又、和式便器撤去後に出来た開口部は床スラブと同じ厚さのコンクリ−トで閉塞されるので、工事前と同じ耐火性能を保持し続けることができ、消防法等の法規上も何ら問題なく、強度低下の恐れも全くない。
【００１９】
この様に、この発明に係る水洗トイレ室改修工法を用いた場合、従来なら完成まで数日を要していた水洗トイレ室の改修工事をわずか１日で完成させることが出来るだけではなく、耐火性能も十分で、既設のコンクリ−ト製集合住宅等のリフォ−ム用、リニュ−アル用として極めて高い実用性を有するものである。
【図面の簡単な説明】
【図１】  この発明に係る水洗トイレ室の改修工法を説明する為の改修前の水洗トイレ室の断面図。
【図２】  この発明に係る水洗トイレ室の改修工事の作業手順を示す水洗トイレ室の断面図。
【図３】  この発明に係る水洗トイレ室の改修工事の作業手順を示す水洗トイレ室の断面図。
【図４】  この発明に係る水洗トイレ室の改修工事の作業手順を示す水洗トイレ室の断面図。
【図５】  この発明に係る水洗トイレ室の改修工事の作業手順を示す水洗トイレ室の断面図。
【図６】  この発明に係る水洗トイレ室の改修工事の作業手順を示す水洗トイレ室の断面図。
【図７】  この発明に係る水洗トイレ室の改修工事の作業手順を示す水洗トイレ室の断面図。
【図８】  この発明に係る水洗トイレ室の改修工事の作業手順を示す水洗トイレ室の断面図。
【記号の説明】
１      床スラブ
２      上段部
３      下段部
４      和式便器
５      汚水管
６      凹み
７      アングル材
８      水平張り出し片
９      壁体
１０      壁面
１１      当て板
１２      開口部
１３      端面
１４      補強用鉄筋
１５      ハツリガラ
１６      張り出し片
１７      脚ボルト受けアングル部材
１８      コンクリ−ト
１９      打設コンクリ−ト面
２０      換気開口部
２１      汚水管取出開口部
２２      ユニットトイレパン
２３      脚ボルト
２４      枠体
２５      トイレパン本体
２６      洋式便器
２７      穿孔用電気ドリル
【図１】
0003808274.tif 000002
【図２】
0003808274.tif 000003
【図３】
0003808274.tif 000004
【図４】
0003808274.tif 000005
【図５】
0003808274.tif 000006
【図６】
0003808274.tif 000007
【図７】
0003808274.tif 000008
【図８】
0003808274.tif 000009